(57)【要約】【課題】  より合理的に構成された部品組立体を提供すること。【解決手段】  ケース１００の内部にモータ４００を組付けてなる部品組立体において、ケースには、外部と連通する孔部１０１を設け、モータのボビン４１１には、孔部に挿入する突部４１１ａを設け、孔部から突部の色を確認することにより、ケースの内部に組付けられたモータの種類を判別することができるようにした。また、ケースに設けた孔部１０３からモータのコイル４１２の色を確認することにより、ケースの内部に組付けられたモータの種類を判別することができるようにした。【選択図】図１
2006087170.tif 000002
【特許請求の範囲】
【請求項１】
ケースの内部に部品を組付けてなる部品組立体において、
前記ケースには、外部と連通する孔部を設け、
前記部品には、前記孔部に挿入する突部を設け、
前記孔部から前記突部の色を確認することにより、前記ケースの内部に組付けられた前記部品の種類を判別することができるようにしたことを特徴とする部品組立体。
【請求項２】
ケースの内部にモータを組付けてなる部品組立体において、
前記ケースには、外部と連通する孔部を設け、
前記モータのボビンには、前記孔部に挿入する突部を設け、
前記孔部から前記突部の色を確認することにより、前記ケースの内部に組付けられた前記モータの種類を判別することができるようにしたことを特徴とする部品組立体。
【請求項３】
前記突部を前記孔部に溶着したことを特徴とする請求項１又は２記載の部品組立体。
【請求項４】
前記ケースの内部には、前記突部を設けた部品と、前記突部を挿通する挿通部を設けた部品とを組付けたことを特徴とする請求項１乃至３のいずれか記載の部品組立体。
【請求項５】
ケースの内部にモータを組付けてなる部品組立体において、
前記ケースには、外部と連通する孔部を設け、
前記孔部から前記モータのボビンの色を確認することにより、前記ケースの内部に組付けられた前記モータの種類を判別することができるようにしたことを特徴とする部品組立体。
【請求項６】
ケースの内部にモータを組付けてなる部品組立体において、
前記ケースには、外部と連通する孔部を設け、
前記孔部から前記モータのコイルの色を確認することにより、前記ケースの内部に組付けられた前記モータの種類を判別することができるようにしたことを特徴とする部品組立体。
【請求項７】
前記部品組立体は、時計の指針を駆動するムーブメントであることを特徴とする請求項１乃至６のいずれか記載の部品組立体
【発明の詳細な説明】
【技術分野】
【０００１】
本発明は、ケースの内部に部品を組付けてなる部品組立体に関する。
【背景技術】
【０００２】
電子製品の製造においては、所定の機能を構成する部品をユニット化し、このユニット化してなる部品組立体を電子製品のパーツとする。部品組立体は、ケースの内部に部品を組付けて製造される。
【０００３】
通常、部品組立体を完成させると、ケースの外部からは内部の部品を確認することはできない。このため、ケースの内部に組付ける部品として異なる種類の部品を使い分ける場合は、その種類を表示する手段として、ケースの外側に表示が設けられる。例えば特許文献１には、バーコードシールを張り付ける構成が記載されている。
【０００４】
また、ケースの内部の部品を直接確認できるように工夫すれば、部品の種類確認の信頼性を高めることが可能である。例えば特許文献２には、ケースの内部に組付ける基板に種別識別表示を設けるとともに、その種別識別表示を確認するための覗き窓をケースに設ける構成が記載されている。
【特許文献１】特開２００２−１２３８００号公報
【特許文献２】特開平５−１６０５７７号公報
【発明の開示】
【発明が解決しようとする課題】
【０００５】
さて、アナログ時計を構成するパーツとしては、ムーブメントと称する部品組立体が知られている。ムーブメントは、モータ及び歯車等を薄型のケースの内部に組付けて構成されている。特に近年では、各種時計の機能や性能に応じて異なる性能のモータを使い分ける必要があり、ムーブメントの製造現場においては、その生産性を向上すべく、更なる工夫が求められている。
【０００６】
本発明は、かかる事情に鑑みてなされたものであり、その目的は、より合理的に構成された部品組立体を提供することである。
【課題を解決するための手段】
【０００７】
本願第１請求項に記載した発明は、ケースの内部に部品を組付けてなる部品組立体において、前記ケースには、外部と連通する孔部を設け、前記部品には、前記孔部に挿入する突部を設け、前記孔部から前記突部の色を確認することにより、前記ケースの内部に組付けられた前記部品の種類を判別することができるようにした構成の部品組立体である。
【０００８】
本願第２請求項に記載した発明は、ケースの内部にモータを組付けてなる部品組立体において、前記ケースには、外部と連通する孔部を設け、前記モータのボビンには、前記孔部に挿入する突部を設け、前記孔部から前記突部の色を確認することにより、前記ケースの内部に組付けられた前記モータの種類を判別することができるようにした構成の部品組立体である。
【０００９】
本願第３請求項に記載した発明は、請求項１又は２において、前記突部を前記孔部に溶着した構成の部品組立体である。
【００１０】
本願第４請求項に記載した発明は、請求項１乃至３のいずれかにおいて、前記ケースの内部には、前記突部を設けた部品と、前記突部を挿通する挿通部を設けた部品とを組付けた構成の部品組立体である。
【００１１】
本願第５請求項に記載した発明は、ケースの内部にモータを組付けてなる部品組立体において、前記ケースには、外部と連通する孔部を設け、前記孔部から前記モータのボビンの色を確認することにより、前記ケースの内部に組付けられた前記モータの種類を判別することができるようにした構成の部品組立体である。
【００１２】
本願第６請求項に記載した発明は、ケースの内部にモータを組付けてなる部品組立体において、前記ケースには、外部と連通する孔部を設け、前記孔部から前記モータのコイルの色を確認することにより、前記ケースの内部に組付けられた前記モータの種類を判別することができるようにした構成の部品組立体である。
【００１３】
本願第７請求項に記載した発明は、請求項１乃至６のいずれかにおいて、前記部品組立体は、時計の指針を駆動するムーブメントである構成の部品組立体である。
【発明の効果】
【００１４】
本発明によれば、より合理的に構成された部品組立体を得ることができる。
【発明を実施するための最良の形態】
【００１５】
以下に、本発明の実施例を図面に基づいて説明する。図１は部品組立体を示す正面図、図２は背面図、図３は側面図である。また、図４は部品組立体の内部を示す透視正面図、図５は透視背面図である。
【００１６】
これらの図に示す本例の部品組立体１は、時計の指針を駆動するムーブメントである。この部品組立体１は、薄型のケース１００の内部及び外部に所定の部品を組付けてなるものであり、ケース１００の正面側に突出した時針パイプ２１０、分針パイプ２２０、及び秒針パイプ２３０が所定の速度で回転する構成となっている。各パイプ２１０，２２０，２３０には、時計の時針、分針、及び秒針がそれぞれ装着される。
【００１７】
ケース１００は、正面側ケース部材１１０と背面側ケース部材１２０とを組み付けてなる２分割タイプのものである。各ケース部材１１０，１２０は、ねじ止め又はフックによる係合にて互いに固定される構成となっている。
【００１８】
ケース１００の内部には、時針パイプ２１０及び分針パイプ２２０を駆動する第１モータ３００と、秒針パイプ２３０を駆動する第２モータ４００が組付けられている。各モータ３００，４００は、ケース１００に固定したステータ３１０，４１０にそれぞれロータ３２０，４２０を装着してなるものである（図４及び図５参照）。図中の３１１は第１モータ３００のステータ３１０のボビンを示し、３１２は第１モータ３００のステータ３１０のコイルを示している。また、図中の４１１は第２モータ４００のステータ４１０のボビンを示し、４１２は第２モータ４００ステータ４１０のコイルを示している。
【００１９】
尚、各パイプ２１０，２２０，２３０と各モータ３００，４００との間には、それぞれ所定の輪列が設けられている。輪列については、図面明確化のため図示を省略する。
【００２０】
更に、背面側ケース部材１２０の外面には、第１モータ３００に給電を行う配線が設けられた第１回路基板５００が装着されており、ケース１００の内部には、第２モータ４００に給電を行う配線が設けられた第２回路基板６００が組付けられている。第２回路基板６００は、その一部がケース１００の外部に露出されており、第２回路基板６００の端子は、その露出部位に設けられている。
【００２１】
また、各回路基板５００，６００の一方には発光手段７１０、他方には光センサ７２０が設けられている。輪列の要所には透光部が設けられており、発光手段７１０及び光センサ７２０は、これらの透光部が重なる時を検出する。すなわち、各モータ３００，４００の制御と併せて透光部が重なる時を検出することにより、各指針２１０，２２０，２３０による表示時刻を認識する構成となっている。
【００２２】
ケース１００の背面側には、時針パイプ２１０及び分針パイプ２２０に装着された時針及び分針の位置を任意に設定するための針合せ８００が設けられている。針合せ８００は、ケース１００の内部において所定の輪列と噛合されている。
【００２３】
そして、ケース１００の要所（図例では正面側ケース部材１１０の要所）には、外部と連通する孔部１０１を設け、第２モータ４００のボビン４１１には、この孔部１０１に挿入する突部４１１ａを設けている。そして、孔部１０１から突部４１１ａの色を確認することにより、ケース１００の内部に組付けられた第２モータ４００の種類を判別することができるようしている。
【００２４】
つまり、部品組立体１は、部品共通化の観点から、これをパーツとする時計の形態に応じて性能が異なる同型のモータを使い分ける構成となっており、第２モータ４００の種類は、ボビン４１１の色にて表示するものとしている。つまり、性能が異なる同型のモータにおける相違点は、コイルの線径及び巻数であり、部品管理上、コイルの線径及び巻数を表示する方法として、ボビン４１１の色分けを行っている。ボビン４１１の色は、黒色、白色、黄色等、適宜異なるように設定される。かかるボビン４１１は、有色樹脂を射出成形してなるものであり、突部４１１ａを含め全体が同じ色となっている。
【００２５】
本例では、図６に示すように、第２回路基板６００の要所には突部４１１ａを挿通する挿通部６０１を設けており（図６（ａ）参照）、突部４１１ａは、第２回路基板６００の挿通部６０１に挿通しつつケース１００の孔部１０１に挿入され（図６（ｂ）参照）、その先端部を孔部１０１に溶着して固定される（図６（ｃ）参照）。このような構成によると、ケース１００に対する第２モータ４００及び第２回路基板６００の位置決めをより正確に行うことが可能となる。また、突部４１１ａを溶着することによれば、突部４１１ａと孔部１０１とを確実に固定することができるとともに、それらの隙間が解消される。故に、孔部１０１からケース１００内部への塵の進入を防止することができる。
【００２６】
以上のように、本例は、ケースの外部から内部の部品を直接確認することができる部品組立体であり、より合理的に構成されたものである。本例の部品組立体は、特に時計のムーブメントとして好適に利用することができる。尚、本例における各部の構成は、特許請求の範囲に記載した技術的範囲において適宜に設計変更が可能であり、図例説明したものに限定されないことは勿論である。
【００２７】
次に、本発明の第２実施例を図７に基づいて説明する。本例の場合、ケース１００の要所（図例では正面側ケース部材１１０の要所）には、外部と連通する第２孔部１０２を設け、第１モータ３００のボビン３１１には、この第２孔部１０２に挿入する突部３１１ａを設けている。そして、第２孔部１０２から突部３１１ａの色を確認することにより、ケース１００の内部に組付けられた第１モータ３００の種類を判別することができるようしている。突部３１１ａは、第２孔部１０２に溶着している。第１モータ３００の種類は、ボビン３１１の色にて表示するものとしている。かかるボビン３１１は、有色樹脂を射出成形してなるものであり、突部３１１ａを含め全体が同じ色となっている。
【００２８】
また、ケース１００の要所（図例では正面側ケース部材１１０の要所）には、外部と連通する第３孔部１０３設け、第３孔部１０３から第２モータ４００のコイル４１２の色を確認することにより、ケース１００の内部に組付けられた第２モータ４００の種類を判別することができるようにしている。
【００２９】
更に、ケース１００の要所（図例では正面側ケース部材１１０の要所）には、外部と連通する第４孔部１０４設け、第４孔部１０４から第１モータ３００のコイル３１２の色を確認することにより、ケース１００の内部に組付けられた第１モータ３００の種類を判別することができるようにしている。
【００３０】
すなわち、第１モータ３００及び第２モータ４００の種類は、それぞれコイルの色、又はコイルの色とボビン３１１の色との組み合わせによって表示するものとしている。
【００３１】
尚、第３孔部１０３及び第４孔部１０４には、ケース１００内部への塵の進入を防止するべく透明シール９００を装着している。その他の構成は、前述した具体例と同様である。
【００３２】
このように、第１モータ３００及び第２モータ４００の種類をそれぞれ判別可能にすべく、複数の孔部１０１，１０２，１０３，１０４を設けてもよい。各モータ３００，４００の種類は、コイルの色を確認することによって判別するように構成することも可能である。
【産業上の利用可能性】
【００３３】
本発明の部品組立体は、種類が異なる部品を使い分ける場合に対応したものであり、時計のムーブメント等、電子製品を構成するパーツとして好適に利用することが可能である。
【図面の簡単な説明】
【００３４】
【図１】本発明の実施例に係り、部品組立体を示す正面図である。
【図２】本発明の実施例に係り、部品組立体を示す背面図である。
【図３】本発明の実施例に係り、部品組立体を示す側面図である。
【図４】本発明の実施例に係り、部品組立体の内部を示す透視正面図である。
【図５】本発明の実施例に係り、部品組立体の内部を示す透視背面図である。
【図６】本発明の実施例に係り、突部を孔部に挿入する工程を示す説明図である。
【図７】本発明の実施例に係り、部品組立体を示す正面図である。
【符号の説明】
【００３５】
１    部品組立体
１００    ケース
１０１    孔部
１０２    第２孔部
１０３    第３孔部
１０４    第４孔部
１１０    正面側ケース部材
１２０    背面側ケース部材
２１０    時針パイプ
２２０    分針パイプ
２３０    秒針パイプ
３００    第１モータ
３１０    ステータ
３１１    ボビン
３１１ａ    突部
３１２    コイル
３２０    ロータ
４００    第２モータ
４１０    ステータ
４１１    ボビン
４１１ａ    突部
４１２    コイル
４２０    ロータ
５００    第１回路基板
６００    第２回路基板
６０１    挿通部
７１０    発光手段
７２０    光センサ
８００    針合せ
９００    透明シール
【図１】
2006087170.tif 000003
【図２】
2006087170.tif 000004
【図３】
2006087170.tif 000005
【図４】
2006087170.tif 000006
【図５】
2006087170.tif 000007
【図６】
2006087170.tif 000008
【図７】
2006087170.tif 000009